(57)【要約】【課題】ワイド入力対応が可能な高調波電流抑制（ＰＦＣ）回路を備えた放電ランプ用電源回路を提供する。【解決手段】ＰＦＣ回路３をトランス方式としているので、従来のチョーク方式の場合に、ＡＣ入力電圧のピーク値以上の電圧が必要となるため、ＰＦＣ出力電圧の設定範囲が狭くなるのに対して、０Ｖ以上でＰＦＣ出力電圧の設定範囲が広くなり、ワイド入力対応が可能となる。また高電圧を必要とされないことから、ＰＦＣ回路３内のスイッチング素子Ｑ１の発振が安定して異音も発生せず、ＰＦＣ出力の電解コンデンサやインバータのスイッチング素子の電圧ストレスを軽減できる。【選択図】  図１
2005019266.tif 000002
【特許請求の範囲】
【請求項１】
交流電源からの交流電力を直流電力に整流するコンデンサ入力型の整流回路と、高調波電流を抑制する高調波電流抑制（ＰＦＣ）回路とを備え、放電ランプに給電する放電ランプ用電源回路であって、
前記ＰＦＣ回路は、電力変成作用を有するトランスと、このトランスにスイッチング素子のオンオフ制御により直流電力の変成を行わせて高調波電流を抑制するＰＦＣ制御部とを備えた放電ランプ用電源回路。
【請求項２】
請求項１において、前記トランスは、１次巻線の電圧を検出する補助巻線を備えている放電ランプ用電源回路。
【発明の詳細な説明】
【０００１】
【発明の属する技術分野】
本発明は、高調波電流抑制（ＰＦＣ）回路を備えた放電ランプ用電源回路に関し、特にワイド入力対応が可能な電源回路に関する。
【０００２】
【従来の技術】
コンデンサ入力形の整流回路をもつ放電ランプ用電源回路では、入力交流電源の波高値付近の短い期間、整流回路が導通するため鋭いピーク状の電流波形が生じる。この高調波電流は、電流ひずみによる力率低下として把握される。この場合、例えばチョークコイルのような高調波電流抑制（ＰＦＣ：Ｐｏｗｅｒ  Ｆａｃｔｏｒ  Ｃｏｎｔｒｏｌ）回路を利用して、整流回路からの入力電圧を昇圧させることによって力率を１に近づけ、高調波電流を抑制する（例えば、特許文献１参照）。
【０００３】
【特許文献１】
特開平１１−２８５２６７号公報
【０００４】
【発明が解決しようとする課題】
しかし、従来のように、ＰＦＣ回路にチョークコイルを用いた場合、高調波電流を抑制するには、ＡＣ入力電圧のピーク電圧以上の電圧が必要となる。このため、ＰＦＣ出力電圧の設定範囲が狭くなり、広い交流入力電圧に対して適応できるワイド入力対応が困難となる。また、高電圧となるため、ＰＦＣ回路内のパワーＭＯＳＦＥＴのようなスイッチング素子の発振が不安定になったり、異音発生の原因となる場合があり、ＰＦＣ出力側の電解コンデンサやスイッチング素子などに高電圧用の素子が必要となる。
【０００５】
本発明は上記の問題点を解決して、ワイド入力対応が可能な高調波電流抑制（ＰＦＣ）回路を備えた放電ランプ用電源回路を提供することを目的としている。
【０００６】
【課題を解決するための手段】
前記目的を達成するために、本発明にかかる放電ランプ用電源回路は、交流電源からの交流電力を直流電力に整流するコンデンサ入力型の整流回路と、高調波電流を抑制する高調波電流抑制（ＰＦＣ）回路を備え、放電ランプに給電するものであって、前記ＰＦＣ回路は、電力変成作用を有するトランスと、このトランスにスイッチング素子のオンオフ制御により直流電力の変成を行わせて高調波電流を抑制するＰＦＣ制御部とを備えている。
【０００７】
前記構成によれば、本発明はＰＦＣ回路をトランス方式としているので、従来のチョーク方式の場合に、ＡＣ入力電圧のピーク値以上の電圧が必要となるため、ＰＦＣ出力電圧の設定範囲が狭くなるのに対して、０Ｖ以上でＰＦＣ出力電圧の設定範囲が広くなり、ワイド入力対応が可能となる。また高電圧を必要とされないことから、ＰＦＣ回路内のスイッチング素子の発振が安定して異音も発生せず、ＰＦＣ出力の電解コンデンサやインバータのスイッチング素子の電圧ストレスを軽減できる。
【０００８】
好ましくは、前記トランスは、１次巻線の電圧を検出する補助巻線を備えている。
【０００９】
【発明の実施の形態】
以下、本発明の実施形態を図面に基づいて説明する。
図１は、本発明の一実施形態に係る放電ランプ用電源回路を示す回路図である。この電源回路は、例えばメタルハライドランプのような放電ランプ５に電力を供給する回路で、例えばＡＣ電圧１００〜２４０Ｖの交流電源１と、交流電源１からの交流電力を直流電力に整流する整流器Ｄ１とコンデンサＣ１とからなるコンデンサ入力型の整流回路２と、高調波電流を抑制する高調波電流抑制（ＰＦＣ）回路３と、放電ランプ５への供給電圧を安定化させる安定器（インバータ）回路４とを備えている。
【００１０】
ＰＦＣ回路３は、トランスＴ１とＰＦＣ制御部７とを備えている。
トランスＴ１は電気エネルギの蓄積および放出を行うことにより電力変成作用を有し、１次巻線Ｐ１、２次巻線Ｓ１と、１次巻線Ｐ１の電圧を検出する補助巻線Ｐ２とを備えている。トランスＴ１としては、高調波電流を抑制するのに、昇圧型だけでなく降圧型も用いることができる。トランスＴ１の２次側に直列にダイオードＤ２が接続され、並列にＰＦＣ出力の電解コンデンサＣ２が接続されている。なお、ＰＦＣ出力は、フィードバック用に分圧抵抗Ｒ３、Ｒ４により検出される。
【００１１】
ＰＦＣ制御部７は、パワーＭＯＳＦＥＴのようなスイッチング素子Ｑ１とＰＦＣ回路３を制御する制御用ＩＣ８を備え、トランスＴ１にスイッチング素子Ｑ１のオンオフ制御により直流電力の変成を行わせて高調波電流を抑制する。
【００１２】
スイッチング素子Ｑ１のドレインとトランスＴ１の１次巻線Ｐ１が接続され、素子Ｑ１のソースと制御用ＩＣ８の入力端子Ｓ３が、素子Ｑ１のゲートと出力端子Ｓ２がそれぞれ接続されている。また素子Ｑ１のソースは抵抗Ｒ２を介してマイナスに接続されている。
【００１３】
制御用ＩＣ８の入力端子Ｓ１に、整流回路２の出力が抵抗Ｒ１を介して接続され、入力端子Ｓ４にトランスＴ１の補助巻線Ｐ２が接続され、ＦＢ端子に前記分圧抵抗Ｒ３、Ｒ４の接続点が接続されている。なお、制御用ＩＣ８は入力端子Ｓ５から給電される。
【００１４】
上記構成のＰＦＣ回路は、以下のように動作する。
まず、整流回路２において、交流電源１からの交流電圧が整流器Ｄ１により整流され、コンデンサＣ１に充電される。コンデンサＣ１の電圧が上昇すると、抵抗Ｒ１を介して制御用ＩＣ８の入力端子Ｓ１に入力し、制御用ＩＣ８が動作を開始する。
【００１５】
制御用ＩＣ８が動作を開始すると、出力端子Ｓ２からスイッチング素子Ｑ１へ信号が出力して、スイッチング素子Ｑ１がオンし、トランスＴ１の１次巻線Ｐ１および抵抗Ｒ２に電流が流れる。このとき、トランスＴ１の２次巻線Ｓ１の電圧の極性の巻き始めが＋、巻き終わりが−であり、ダイオードＤ２は、オフ状態である。この電流が制御用ＩＣ８の入力端子Ｓ３に入力して、制御用ＩＣ８で決定されるレベルに達すると、スイッチング素子Ｑ１がオフする。
【００１６】
スイッチング素子Ｑ１がオフすると、トランスＴ１の２次巻線Ｓ１の電圧の極性は逆転して、巻き始めが−、巻き終わりが＋となり、ダイオードＤ２がオンする。ダイオードＤ２がオンすると、トランスＴ１の１次巻線Ｐ１に蓄えられた電気エネルギがＰＦＣ出力として電解コンデンサＣ２に放出される。このとき、ＰＦＣ出力電圧を抵抗Ｒ３、Ｒ４で検出することにより、電解コンデンサＣ２の電圧を一定に保つことができる。
【００１７】
トランスＴ１の１次巻線Ｐ１に蓄えられた電気エネルギがすべてＰＦＣ出力側に放出されると、トランスＴ１の補助巻線Ｐ２の電位が低下し、この信号が制御用ＩＣ８の入力端子Ｓ４に入力して、スイッチング素子Ｑ１が再びオンする。トランスＴ１に流れる電流をコンデンサＣ１によって平均化することで、入力電流が正弦波状となる。
【００１８】
このように、本発明は、ＰＦＣ回路３をトランス方式としていることから、従来のチョーク方式の場合に、ＡＣ入力電圧のピーク値以上の電圧が必要となるため、ＰＦＣ出力電圧の設定範囲がＤＣ（√２×ＡＣ入力電圧）Ｖ以上と狭くなるのに対して、本発明のトランス方式では、ＤＣ０Ｖ以上となって、ＰＦＣ出力電圧の設定範囲が広くなり、ワイド入力対応が可能となる。また従来のチョーク方式の場合、高電圧が必要となるため、スイッチング素子の発振が不安定となり、異音発生の原因となり、ＰＦＣ出力の電解コンデンサやインバータ部のスイッチング素子に高電圧用の部品が必要となるのに対して、スイッチング素子Ｑ１の発振が不安定となることもなく、異音も発生せず、ＰＦＣ出力の電解コンデンサやインバータのスイッチング素子の電圧ストレスを軽減できる。
【００１９】
本発明のトランス方式では、ＰＦＣ出力の電解コンデンサＣ２がトランスＴ１により電源入力と分離されているので、電源入力から電解コンデンサＣ２に直接突入電流が流れないことから、入力突入電流が非常に少なくなり、突入電流防止用部品が不要となる。
【００２０】
また、トランスＴ１により電源入力とＰＦＣ出力が分離されているので、ＰＦＣ出力以降の短絡時、ヒューズによる保護よりも過電流制限による保護の方が優先されることから、機器の信頼性を高くできる。
【００２１】
【発明の効果】
以上のように、本発明はＰＦＣ回路をトランス方式としているので、従来のチョーク方式の場合に、ＡＣ入力電圧のピーク値以上の電圧が必要となるため、ＰＦＣ出力電圧の設定範囲が狭くなるのに対して、０Ｖ以上でＰＦＣ出力電圧の設定範囲が広くなり、ワイド入力対応が可能となる。また高電圧を必要とされないことから、ＰＦＣ回路内のスイッチング素子の発振が安定して異音も発生せず、ＰＦＣ出力の電解コンデンサやインバータのスイッチング素子の電圧ストレスを軽減できる。
【図面の簡単な説明】
【図１】本発明の一実施形態に係るＰＦＣ回路を備えた放電ランプ用電源回路を示す回路図である。
【符号の説明】
１…交流電源、２…整流回路、３…高調波電流抑制（ＰＦＣ）回路、４…安定器（インバータ）回路、５…放電ランプ、７…ＰＦＣ制御部、Ｔ１…トランス、Ｐ１…１次巻線、Ｓ１…２次巻線、Ｐ２…補助巻線、Ｑ１…スイッチング素子。
【図１】
2005019266.tif 000003